(57)【要約】【課題】  ２以上の大当たり状態が発生可能な遊技機、特には各大当たり状態の発生をそれぞれ示す信号が出力されない形態の遊技機が管理対象であった場合でも、各大当たり状態に係る稼動データを個別に集計可能にすること。【解決手段】  パチンコ遊技機１は、大当たり期間中の平均的な差玉数が互いに異なる第１大当たり及び第２大当たりが発生可能になっており、その大当たり期間を示す大当たり信号を出力する。管理コンピュータ１６は、大当たり信号に基づいてパチンコ遊技機１が大当たり状態にある期間の差玉数を集計し、集計した差玉数が予め設定された上限しきい値及び下限しきい値の範囲に収まっているか否かに基づいて、第１及び第２大当たりの何れが発生しているかを判定する。【選択図】  図１
2005192990.tif 000002
【特許請求の範囲】
【請求項１】
遊技媒体を使用した遊技により入賞が発生したときに所定個数の遊技媒体を払い出すように構成されその遊技時に入賞率を通常時より高めた第１の大当たり状態及び第２の大当たり状態が発生可能な遊技機であって、前記第１及び第２の大当たり状態にある各期間中の払出遊技媒体数が互いに相違する遊技機に係る稼動データを各遊技機別に区分して集計管理する遊技場用データ管理システムにおいて、
前記遊技機が前記第１及び第２の大当たり状態の何れかにある期間を大当たり期間として検出する検出手段と、
この検出手段により検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行うデータ集計手段と、
このデータ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、前記第１及び第２の大当たり状態の何れが発生しているかを判定する判定手段と
を備えたことを特徴とする遊技場用データ管理システム。
【請求項２】
前記遊技機は、前記第１及び第２の大当たり状態の発生に応じて大当たり信号を出力するように構成され、
前記検出手段は、前記遊技機から出力される前記大当たり信号に基づいて前記大当たり期間を検出するように構成されていることを特徴とする請求項１記載の遊技場用データ管理システム。
【請求項３】
前記データ集計手段は、前記遊技機において払い出された遊技媒体数を示す払出遊技媒体数データ、並びに当該遊技機において払い出された遊技媒体数及び遊技に使用された遊技媒体数の差である差引遊技媒体数データの少なくとも一方の集計動作をリアルタイムで行うように構成され、
前記検出手段は、前記データ集計手段により集計される払出遊技媒体数データ或いは差引遊技媒体数データの単位時間当たりの増加量が予め設定されたしきい値以上あるか否かに基づいて前記大当たり期間を検出するように構成されていることを特徴とする請求項１記載の遊技場用データ管理システム。
【請求項４】
前記データ集計手段は、前記大当たり中払出遊技媒体数データ及び大当たり中差引遊技媒体数データの少なくとも一方について、前記判定手段が判定した各大当たり状態にある期間毎の平均値を演算する機能を備えていることを特徴とする請求項１ないし３の何れかに記載の遊技場用データ集計システム。
【請求項５】
前記判定手段は、前記データ集計手段により集計された大当たり中払出遊技媒体数データ或いは大当たり中差引遊技媒体数データが前記上限しきい値及び下限しきい値の範囲に収まっていない場合に異常検知信号を出力する機能を備えていることを特徴とする請求項１ないし４の何れかに記載の遊技場用データ集計システム。
【請求項６】
前記遊技機は複数の電動役物を備えたパチンコ遊技機であることを特徴とする請求項１ないし５の何れかに記載の遊技場用データ管理システム。
【請求項７】
前記遊技機は、遊技時の入賞率を高めるための開閉動作を実行可能な電動役物を備え、その電動役物の開閉動作の継続ラウンド数を異ならせることにより前記第１の大当たり状態及び第２の大当たり状態が発生するように構成され、
各大当たり状態にある期間中の大当たり中払出遊技媒体数データ或いは大当たり中差引遊技媒体数データに基づいて当該大当たり状態にある期間中の前記電動役物の開閉動作の継続ラウンド数を特定する継続回数特定手段を備えていることを特徴とする請求項１ないし５の何れかに記載の遊技場用データ管理システム。
【発明の詳細な説明】
【技術分野】
【０００１】
本発明は、遊技媒体を使用した遊技時に入賞率を通常時より高めた少なくとも２以上の大当たり状態が発生可能な遊技機、特には各大当たり状態にある期間中の払い出し遊技媒体数が互いに相違する遊技機に係る稼動データを各遊技機別に区分して集計管理するための遊技場用データ管理システムに関する。
【背景技術】
【０００２】
パチンコ遊技機においては、複数の通常入賞口、始動入賞口及び常時は閉鎖された状態の大入賞口を設けると共に、始動入賞口へのパチンコ玉の入賞に応じて行われる抽選動作の結果を表示する表示装置を設け、表示された抽選動作結果が大当たりであったときに大入賞口を所定ラウンドだけ開放させて入賞率を通常時より大幅に高めた大当たり状態（特賞状態とも呼ばれる）を呈する構成のもの（所謂第１種パチンコ遊技機：セブン機）が広く普及している。従来では、この種のデータ管理システムとして、パチンコ遊技機が大当たり状態になったか否かを判定する遊技状態判定手段と、この遊技状態判定手段の判定結果に基づきパチンコ遊技機が大当たり状態にある期間中におけるアウト玉数などの稼動データを当該大当たり状態期間毎の履歴データ（大当たり履歴データ）として順次集計するデータ集計手段と、このデータ集計手段の集計結果を出力する出力手段とを備えたものが提供されている（例えば特許文献１参照）。
【０００３】
また、近年では、特許文献２及び特許文献３などに見られるように、始動入賞口へのパチンコ玉の入賞に応じて行われる抽選動作の結果が当たりであった場合に大当たり状態を呈する第１種パチンコ遊技機と、始動チャッカー（始動入賞口）へのパチンコ玉の入賞により羽根が短時間だけ開き、その中にあるＶゾーンにパチンコ玉が入賞したときに大当たり状態を呈する第２種パチンコ遊技機（所謂ハネモノ）とを融合した形態のパチンコ遊技機（複合パチンコ遊技機）が提案されている。この他にも、第１種パチンコ遊技機若しくは第２種パチンコ遊技機と第３種パチンコ遊技機（所謂権利物）とを融合した形態、或いは同一種のパチンコ遊技機を融合した形態（例えば、第１種パチンコ遊技機の大当たり機能を２台分備えた形態）など、種々の形態の複合パチンコ遊技機が考えられている。
【０００４】
特に、風営法が来年（２００４年）１月に改正され７月から施行される予定だが、その法改正により従来の第１種、第２種といった遊技機種別が撤廃されるため、このような複合パチンコ遊技機が実際に遊技店に設置される日は遠くないと予想される。
【特許文献１】特開平８−９８９４４号公報
【特許文献２】特開２０００−３３１４１号公報
【特許文献３】特開２００３−６２２１５号公報
【発明の開示】
【発明が解決しようとする課題】
【０００５】
従来の遊技場用データ管理システムでは、払出パチンコ玉数がそれぞれ異なる２以上の大当たり状態が発生可能なパチンコ遊技機を管理対象とすることについて何も考慮されていないため、遊技機全体の稼動データを把握することは可能であるが、各大当たり状態に係る個別の稼動データを個別に把握することが困難になるという事情がある。特に、２以上の大当たり状態が設定されているにも関わらず、大当たり状態にあることを示す大当たり信号が１種類しか出力されないパチンコ遊技機も存在する可能性があり、このようなパチンコ遊技機については、遊技機の稼動データを各大当たり状態毎に区分して集計することが全く不可能になる。つまり、この種のパチンコ遊技機が管理対象であった場合、従来システムでは、各大当たり状態毎に区分した状態の稼動データを集計することが不可能になって、当該稼動データの関係により得られる各大当たり状態の遊技特性を個別に把握することが困難になるため、例えば、複合パチンコ遊技機に対する釘調整を的確に行うことが不可能になるなどの問題点が出てくる。
【０００６】
本発明は上記事情に鑑みてなされたものであり、その目的は、２以上の大当たり状態が発生可能な遊技機、特には各大当たり状態の発生をそれぞれ示す信号が出力されない形態の遊技機が管理対象であった場合でも、各大当たり状態に係る稼動データを個別に集計可能となる遊技場用データ管理システムを提供することにある。
【課題を解決するための手段】
【０００７】
請求項１記載の発明は、上記目的を達成するために、遊技媒体を使用した遊技により入賞が発生したときに所定個数の遊技媒体を払い出すように構成されその遊技時に入賞率を通常時より高めた第１の大当たり状態及び第２の大当たり状態が発生可能な遊技機であって、前記第１及び第２の大当たり状態にある各期間中の払出遊技媒体数が互いに相違する遊技機に係る稼動データを各遊技機別に区分して集計管理する遊技場用データ管理システムにおいて、
前記遊技機が前記第１及び第２の大当たり状態の何れかにある期間を大当たり期間として検出する検出手段と、この検出手段により検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行うデータ集計手段と、このデータ集計手段により集計された払出遊技媒体数データ或いは差引遊技媒体数データが、各大当たり状態のそれぞれについて予め設定された上限しきい値及び下限しきい値の範囲に収まっているか否かに基づいて、前記第１及び第２の大当たり状態の何れが発生しているかを判定する判定手段とを備えた構成としたものである。
【０００８】
請求項２記載の発明は、前記遊技機が、前記第１及び第２の大当たり状態の発生に応じて大当たり信号を出力するように構成されたものであった場合に、前記検出手段を、前記遊技機から出力される前記大当たり信号に基づいて前記大当たり期間を検出する構成としたものである。
【０００９】
請求項３記載の発明は、前記データ集計手段を、前記遊技機において払い出された遊技媒体数を示す払出遊技媒体数データ、並びに当該遊技機において払い出された遊技媒体数及び遊技に使用された遊技媒体数の差である差引遊技媒体数データの少なくとも一方の集計動作をリアルタイムで行うように構成した上で、前記検出手段を、前記データ集計手段により集計される払出遊技媒体数データ或いは差引遊技媒体数データの単位時間当たりの増加量が予め設定されたしきい値以上あるか否かに基づいて前記大当たり期間を検出する構成としたものである。
【００１０】
請求項４記載の発明は、前記データ集計手段に対して、前記大当たり中払出遊技媒体数データ及び大当たり中差引遊技媒体数データの少なくとも一方について、前記判定手段が判定した各大当たり状態にある期間毎の平均値を演算する機能を付加したものである。
【００１１】
請求項５記載の発明は、前記判定手段に対して、前記データ集計手段により集計された大当たり中払出遊技媒体数データ或いは大当たり中差引遊技媒体数データが前記上限しきい値及び下限しきい値の範囲に収まっていない場合に異常検知信号を出力する機能を付加したものである。
【００１２】
請求項６記載の発明のように、前記遊技機は複数の電動役物を備えたパチンコ遊技機であっても良い。
【００１３】
請求項７記載の発明は、遊技時の入賞率を高めるための開閉動作を実行可能な電動役物を備え、その電動役物の開閉動作の継続ラウンド数を異ならせることにより前記第１の大当たり状態及び第２の大当たり状態が発生するように構成された遊技機を管理対象とする場合に、各大当たり状態にある期間中の払出遊技媒体数データ或いは大当たり中差引遊技媒体数データに基づいて当該大当たり状態にある期間中の前記電動役物の開閉動作の継続ラウンド数を特定する継続回数特定手段を備えた構成としたものである。
【発明の効果】
【００１４】
請求項１記載の発明によれば、遊技機において第１及び第２の大当たり状態の何れかが発生したときには、その発生期間が検出手段によって大当たり期間として検出される。データ集計手段は、上記のように検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行う。但し、この集計動作により得られるデータは、第１及び第２の大当たり状態の何れの期間中のものであるか不明である。
【００１５】
この場合、管理対象となる遊技機は、第１及び第２の大当たり状態にある各期間中の払出遊技媒体数が互いに相違するものであり、従って、上記集計動作により得られる各データ（大当たり中払出遊技媒体数データ及び大当たり中差引遊技媒体数データの少なくとも一方のデータ）は、第１の大当たり状態にある期間に対応したデータと第２の大当たり状態にある期間に対応したデータとで自ずと異なるようになる。判定手段は、このようなデータの相違を利用することにより、第１及び第２の大当たり状態の何れが発生しているかを判定する。具体的には、判定手段は、データ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、第１及び第２の大当たり状態の何れが発生しているかを判定する。
【００１６】
従って、データ集計手段による集計データを、上記判定手段による判定結果に基づいて第１及び第２の大当たり状態に振り分けることが可能になるものであり、これにより、各大当たり状態毎に区分した状態の稼動データを集計できるようになる。この結果、上記のように集計された各稼動データの関係に基づいて、各大当たり状態の遊技特性を個別に且つ容易に把握できるようになるから、その把握結果に基づいて、例えば遊技機の遊技特性の調整作業（パチンコ遊技機の場合における釘調整作業など）を的確に行うことが可能になる。
【００１７】
請求項２記載の発明によれば、検出手段による大当たり期間の検出動作を、遊技機から出力される大当たり信号に基づいてリアルタイムで行い得るようになる。
【００１８】
請求項３記載の発明によれば、検出手段による大当たり期間の検出動作が、データ集計手段による集計データに基づいて行われるから、第１及び第２の大当たり状態に区分した状態での稼動データの集計動作を管理対象の遊技機の仕様と無関係に行い得るようになり、システムとしての汎用性が高くなる。
【００１９】
請求項４記載の発明によれば、第１及び第２の大当たり状態に区分した状態で集計された大当たり中払出遊技媒体数データ及び大当たり中差引遊技媒体数データの少なくとも一方について、各大当たり状態にある期間毎の平均値が得られるから、遊技機の遊技特性がどちらの大当たり状態の遊技特性に依存しているかを一目で把握可能になる。
【００２０】
請求項５記載の発明によれば、データ集計手段により集計された大当たり中払出遊技媒体数データ或いは大当たり中差引遊技媒体数データが前記上限しきい値及び下限しきい値の範囲に収まっていない場合、つまり、所謂パンクや不正行為に伴う多量の遊技媒体の放出動作などの異常状態が発生したと想定されるときには、判定手段から異常検知信号が出力されるから、そのような異常状態に対し迅速に対処可能になる。
【００２１】
請求項６記載の発明によれば、管理対象が複合パチンコ遊技機であっても上述したような効果を得ることができる。
【００２２】
請求項７記載の発明によれば、遊技時の入賞率を高めるための開閉動作を実行可能な電動役物を備え、その電動役物の開閉動作の継続ラウンド数を異ならせることにより前記第１の大当たり状態及び第２の大当たり状態が発生するように構成されたパチンコ遊技機、つまり、所謂第２種パチンコ遊技機が管理対象であった場合に、継続回数特定手段が、各大当たり状態にある期間中の払出遊技媒体数データ或いは大当たり中差引遊技媒体数データに基づいて当該大当たり状態にある期間中の前記電動役物の開閉動作の継続ラウンド数を特定するようになる。従って、このようなパチンコ遊技機についての稼動データの管理も、各大当たり状態について個別に行い得るようになる。
【発明を実施するための最良の形態】
【００２３】
（第１の実施の形態）
以下、本発明の第１実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６、第２スタート入賞口７、アタッカーと呼ばれる電動役物８ａ及び９ａをそれぞれ備えた第１大型入賞口８及び第２大型入賞口９、第１スタート入賞口６へのパチンコ玉（遊技媒体）の入賞が動作開始契機とされた第１図柄表示部１０、第２スタート入賞口７へのパチンコ玉の入賞が動作開始契機とされた第２図柄表示部１１が設けられていると共に、図示しない通常入賞口も設けられている。つまり、パチンコ遊技機１は、同一種のパチンコ遊技機を融合した構成（第１種パチンコ遊技機の大当たり機能を２台分備えた形態）となっている。
【００２４】
第１図柄表示部１０は、第１スタート入賞口６へのパチンコ玉の入賞に応じて行われる所定の大当たり確率の第１抽選動作の結果を表示し、第２図柄表示部１１は、第２スタート入賞口７へのパチンコ玉の入賞に応じて行われる所定の大当たり確率の第２抽選動作の結果を表示するためのもので、図２では、それぞれ３桁の数字列より成るルーレットを表示する例が示されている。即ち、第１及び第２図柄表示部１０及び１１は、それぞれに対応した第１及び第２スタート入賞口６及び７への各パチンコ玉の入賞に応じて互いに独立した状態でルーレットの変動表示（本実施例の場合、数字列の各桁の「０」〜「９」の範囲での変動表示）を開始するものであり、上記第１及び第２抽選動作の結果が大当たりであった各場合に、その変動終了時点で数字列が「１１１」、「２２２」、…のようなぞろ目図柄（大当たり図柄）となるように制御される。
【００２５】
この場合、第１図柄表示部１０にぞろ目図柄が表示された状態で第１大当たり条件が成立し、第２図柄表示部１１にぞろ目図柄が表示された状態で第２大当たり条件が成立することになる。そして、第１大当たり条件が成立したときには、第１大型入賞口８の電動役物８ａ（アタッカー）が予め決められたモードにて所定期間だけ開放され、以て当該入賞口８への入賞率が極端に高められた第１の大当たり状態（以下これを第１大当たりと呼ぶ）を呈するものである。また、第２大当たり条件が成立したときには、第２大型入賞口９の電動役物９ａ（アタッカー）が予め決められたモードにて所定期間だけ開放され、以て当該入賞口９への入賞率が極端に高められた第２の大当たり状態（以下これを第２大当たりと呼ぶ）を呈するものである。
【００２６】
本実施例によるパチンコ遊技機１は、第１スタート入賞口６へのパチンコ玉入賞に応じて行われる第１抽選動作の大当たり確率を１／３５０、第２スタート入賞口７へのパチンコ玉入賞に応じて行われる第２抽選動作の大当たり確率を１/１６０に設定しており、また、第１及び第２大当たりにある各期間中の継続ラウンド数、各ラウンドでの各大型入賞口８及び９への入賞可能個数、各大型入賞口８及び９への１入賞に対する払出パチンコ玉数が決まっているので、第１大当たりが発生したときの平均的な差玉数が１８００個前後、第２大当たりが発生したときの平均的な差玉数が１２００個前後となる。つまり、パチンコ遊技機１にあっては、第１及び第２大当たりにある各期間中の払出パチンコ玉数の合計値（払出遊技媒体数）が互いに異なった状態となっている。
【００２７】
尚、本実施例によるパチンコ遊技機1は、第１大当たり及び第２大当たりが同時期に発生した場合でも、それら第１及び第２大当たりが並行して進行しない構成となっており、双方の大当たりが同時期に発生した場合には、例えば、一方の大当たりに係る動作（電動役物８ａ或いは９ａの所定モードでの開放動作）が終了した後に他方の大当たりに係る動作が開始される構成となっている。
【００２８】
また、第１スタート入賞口６へのパチンコ玉の入賞が、第１図柄表示部１０の変動表示期間、第１大当たりにある期間中に発生した各場合には、その入賞に応じた抽選結果の表示が保留され、第２スタート入賞口７へのパチンコ玉の入賞が、第２図柄表示部１１の変動表示期間、第２大当たりにある期間中に発生した各場合には、その入賞に応じた抽選結果の表示が保留される。そして、このように保留された抽選結果の表示動作は、各図柄表示部１０及び１１の変動表示或いは各大当たりの終了を待って行われるものであり、以て当該表示保留状態が解除される構成となっている。この場合、上記のような抽選結果の表示の一時的な保留数（所謂保留玉数）は所定の上限値（例えば「４」）に制限されており、当該保留玉数を表示するために、第１及び第２図柄表示部１０及び１１内に保留玉表示部１０ａ及び１１ａがそれぞれ設けられている。
【００２９】
このように構成されたパチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、第１図柄表示部１０による図柄変動動作の実行（以下、これを第１スタートと呼ぶ）毎に第１スタート信号を出力し、第２図柄表示部１１による図柄変動動作の実行（以下、これを第２スタートと呼ぶ）毎に第２スタート信号を出力する構成となっている。さらに、パチンコ遊技機１は、第１大当たりが発生した場合及び第２大当たりが発生した場合に大当たり信号を出力する構成、つまり第１及び第２大当たりが発生した各期間に同一の大当たり信号を出力する構成となっている。尚、この大当たり信号は、パチンコ遊技機１が第１或いは第２大当たりにある各期間中を通じて継続的に出力されるものである。
【００３０】
図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、第１スタート信号、第２スタート信号、大当たり信号などが出力される。
【００３１】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１２から入出力装置１４には、プリペイドカードによる売上を示す売上信号などが出力される。
【００３２】
呼出ランプユニット１３は、複数の表示ランプ１３ａ、例えば液晶パネルより成るデータ表示部１３ｂ、呼出ボタン１３ｃなどを備えた周知構成のもので、呼出ボタン１３ｃの操作に伴う呼び出し状態の表示機能、対応するパチンコ遊技機１で発生した大当たり状態などを表示する機能、パチンコ遊技機１での稼動データに基づいて作成した遊技客向けデータ（大当たり発生回数など）を表示する機能（これについては後述する）、パチンコ遊技機１及び台間玉貸機１２のためのデータ入出力インタフェースの機能などを備えている。
【００３３】
入出力装置１４は、店内ＬＡＮ１５に接続されており、この店内ＬＡＮ１５には、パチンコホールの管理事務所内に設置された管理コンピュータ１６（検出手段、データ集計手段、判定手段に相当）が接続されている。また、図示しないが、店内ＬＡＮ１５には、景品交換カウンタに設置されたＰＯＳ端末及び島端に設置されたパチンコ玉計数機なども接続される。
【００３４】
管理コンピュータ１６は、パチンコ遊技機１及び台間玉貸機１２から出力される種々の信号（アウト玉数信号、セーフ玉数信号、第１スタート信号、第２スタート信号、大当たり信号、売上信号など）に基づいて、パチンコ遊技機１についての稼動データ（アウト玉数（打込パチンコ玉数）、セーフ玉数、差玉数、稼動率、出玉率、ベース、図柄表示部１０及び１１の各スタート回数（第１スタート回数、第２スタート回数）など）、並びに台間玉貸機１２についての貸出高データ（売上金額、割数など）を集計して格納するという周知のデータ集計機能を備えた構成となっている。
【００３５】
また、管理コンピュータ１６は、上記のようなデータ集計機能の他に、本発明の要旨に関係した大当たり履歴データの作成及び出力機能を備えており、以下においては、その機能について図３ないし図６も参照しながら説明する。
図３には、パチンコ遊技機１での第１大当たり及び第２大当たりの各発生及び終了タイミング、並びにこれに伴う大当たり信号の出力タイミングの一例が示されている。この例では、第１大当たりが４回発生すると共に、第２大当たりが５回発生し、これに応じて大当たり信号が９回出力された場合について示されており、図３中には、各大当たりの発生順に通し番号「１」〜「９」が付されている。尚、図３に示した通し番号「７」に対応した第１大当たりは、所謂確変を伴った大当たりであり、確変が伴っているか否かの判断は、例えば、図柄表示部１１の表示図柄に基づいて行うことができる。また、これ以外にも、各大当たりの発生時において所謂時短が伴っているか否かの判断についても、図柄表示部１１の表示図柄に基づいて行うことができる。
【００３６】
管理コンピュータ１６は、大当たり信号の出力期間に集計した稼動データに基づいて大当たり履歴データを作成するものである。但し、本実施例では、２種類の第１及び第２大当たりが設定されているにも関わらず、大当たり信号が１種類しか出力されないパチンコ遊技機１を管理対象としているため、当該大当たり信号だけでは、管理コンピュータ１６側において集計される稼動データが第１及び第２大当たりのどちらによるものかを区別できない。そこで、本実施例では管理コンピュータ１６において、上記大当たり信号並びにパチンコ遊技機１が大当たりにある期間中の差玉数（大当たり中差玉数：大当たり中差引遊技媒体数データに相当）に基づいて、第１及び第２大当たりのどちらが発生したかを判定する構成としており、以下これについて説明する。
【００３７】
即ち、パチンコ遊技機１においては、前述したように、第１大当たりが発生したときの平均的な大当たり中差玉数は１８００個前後、第２大当たりが発生したときの平均的な大当たり中差玉数は１２００個前後となるように設定されている。そこで、管理コンピュータ１６においては、大当たり信号が出力された期間（第１大当たりまたは第２大当たりの継続期間）における大当たり中差玉数が予め設定された上限しきい値及び下限しきい値の範囲に収まっているか否かに基づいて、発生した大当たりの種類を判定する構成となっている。
【００３８】
この場合、第１大当たりについての大当たり中差玉数用の上限しきい値及び下限しきい値を例えば「２０００」及び「１６００」に設定し、第２大当たりについての大当たり中差玉数用の上限しきい値及び下限しきい値を例えば「１４００」及び「１０００」に設定する。
従って、大当たり信号が出力された場合に、これに伴う大当たり中差玉数を監視し、最終的に、
１６００≦大当たり中差玉数≦２０００
の状態となったときに第１大当たりが発生したものと判定し、
１０００≦大当たり中差玉数≦１４００
の状態となったときに第２大当たりが発生したものと判定することになる。
【００３９】
図４には、上記のような判定動作を説明するためのタイミングチャートが示されている。この図４は、横軸がパチンコ遊技機１の遊技に伴い増加するアウト玉数、縦軸が当該遊技に伴い変動する差玉数を示すものであり、図中のタイミングｔ１、ｔ３、ｔ４において第２大当たりが発生し、タイミングｔ２、ｔ５において第１大当たりが発生した場合の例が示されている。
【００４０】
この図４において、ΔＹ１、ΔＹ３、ΔＹ４は第２大当たりに係る大当たり中差玉数、ΔＹ２、ΔＹ５は第１大当たりに係る大当たり中差玉数、ΔＸ１、ΔＸ３、ΔＸ４は第２大当たりに係る大当たり中アウト玉数、ΔＸ２、ΔＸ５は第１大当たりに係る大当たり中アウト玉数であり、管理コンピュータ１６は、これらのデータをパチンコ遊技機１において第１及び第２の各大当たりが終了する毎（大当たり信号が出力停止する毎）にリアルタイムで集計する。このような集計データのうち、大当たり中差玉ΔＹ１〜ΔＹ５を前記上限しきい値及び下限しきい値と比較することにより、発生した大当たりの種類を管理コンピュータ１６において判定できるようになる。
【００４１】
管理コンピュータ１６には、このような判定結果、並びに前述のデータ集計機能により得た稼動データに基づいて各パチンコ遊技機１に係る大当たり履歴データを作成して出力する機能が設けられているが、本実施例では、その作成・出力形態として複合データ作成モードが設定されており、以下においては、この複合データ作成モードについて、図３のようなタイミングで第１及び第２大当たりが発生したパチンコ遊技機１を対象にして説明する。
【００４２】
即ち、複合データ作成モードでは、パチンコ遊技機１において第１及び第２大当たりの何れかが発生するまでの期間の稼動データ並びに当該大当たり期間中の稼動データに基づいて各回の大当たり履歴データを作成し、第１及び第２大当たりの双方についての大当たり履歴データを発生順に並べると共に、これに他の所定のデータを付け加えた状態の複合データとして出力する。
【００４３】
具体的には、各大当たり履歴データは、大当たりの発生時刻、大当たりの種類（第１及び第２の区別）、大当たりの発生状態（「確変」あり、「時短」ありの区別）、大当たり間アウト（大当たりが新たに発生するまでの期間のアウト玉数）、大当たり間差玉（大当たりが新たに発生するまでの期間の差玉数）、大当たり間スタート（直前の同一種類の大当たりが発生してから該当大当たりが発生するまでの期間のスタート回数（第１スタート回数及び第２スタート回数）：但し、営業開始後に最初に発生した大当たりについては、営業開始後から該当大当たりが発生するまでの期間のスタート回数）、大当たり中差玉（１回の大当たりに対応した大当たり中差玉数）、大当たり中アウト（１回の大当たり期間中のアウト玉数）、大当たり中セーフ（１回の大当たり期間中のセーフ玉数）を組み合わせたデータであり、プリンタを通じた印字出力或いはディスプレイを通じた表示出力として提供される。
【００４４】
図５には、図３のようなタイミングで大当たり信号を出力したパチンコ遊技機１に対応した複合データを、当該図３中に示したタイミングＴにて作成した場合の例が示されている。
この図５において、複合データは、大当たりの発生順を示す通し番号（「１」〜「９」）と対応付けた状態で、各大当たり履歴データ（発生時刻、大当たりの種類（「１」は第１大当たり、「２」は第２大当たり）、発生状態、大当たり間アウト、大当たり間差玉、大当たり間スタート（第１スタート回数及び第２スタート回数）、大当たり中差玉、大当たり中アウト、大当たり中セーフの組合せデータ）を記録すると共に、図３中のタイミングＴでの大当たり間アウト、大当たり間差玉、大当たり間スタートを記録した形態となっている。
【００４５】
さらに、管理コンピュータ１６は、図５に示すように、上記のように記録した複合データ中に、以下に述べるような「第１大当たり合計」、「第２大当たり合計」、「第１大当たり平均」、「第２大当たり平均」、「実スタート比率」、「全平均」の各データを付け加えて集計する構成となっている。
「第１大当たり合計」……第１大当たりが発生するまでの第１スタート回数及び現在時点までの第１スタート回数、第１大当たりの発生に応じた大当たり中差玉、大当たり中アウト、大当たり中セーフについて各々合計したデータ、
「第２大当たり合計」……第２大当たりが発生するまでの第２スタート回数及び現在時点までの第２スタート回数、第２大当たりの発生に応じた大当たり中差玉、大当たり中アウト、大当たり中セーフについて各々合計したデータ、
「第１大当たり平均」……第１大当たりに対応した大当たり間アウト、大当たり間差玉、第１スタート回数、大当たり中差玉、大当たり中アウト、大当たり中セーフについての第１大当たり１回当たりの平均をそれぞれ示すデータ、
「第２大当たり平均」……第２大当たりに対応した大当たり間アウト、大当たり間差玉、第２スタート回数、大当たり中差玉、大当たり中アウト、大当たり中セーフについての第２大当たり１回当たりの平均をそれぞれ示すデータ、
実スタート比率……「第１大当たり平均」中の第１スタート回数と「第２大当たり平均」中の第２スタート回数との比率を示すデータ、
「全平均」……第１種及び２種大当たりの発生に応じた大当たり間アウト、大当たり間差玉、第１スタート回数、第２スタート回数、大当たり中差玉、大当たり中アウト、大当たり中セーフの各平均をそれぞれ示すデータ。
【００４６】
一方、管理コンピュータ１６には、上記のような複合データ作成モードで作成した複合データを所定日数分に渡って蓄積すると共に、その蓄積データを印字出力或いはディスプレイを通じた表示出力としてパチンコホール従業員に対し選択的に提供する機能の他に、データ出力機能が設定されている。このデータ出力機能は、上記蓄積データに基づいて作成した遊技客向けデータを呼出ランプユニット１３のデータ表示部１３ｂに表示することにより遊技客側に提供するというものであり、以下これについて説明する。
【００４７】
図６には、データ表示部１３ｂでの表示例が示されている。
即ち、図６は複合データ（図５参照）に基づいて作成した遊技客向けデータの表示例（但し、数値例は図１５〜図１７の内容と異なる）を示すものであり
・当日の第１大当たりの発生回数ａ、
・当日の第１大当たりについての確変及び時短の発生回数ｂ、
・当日の第２大当たりの発生回数ｃ、
・当日の第２大当たりについての確変及び時短の発生回数ｄ、
・前回の第１大当たりの終了後から現在時点までの第１スタート回数ｅ（但し、第１大当たりが未発生の時点では当日の営業開始時点から現在時点までの第１スタート回数）、
・前回の第２大当たりの終了後から現在時点までの第２スタート回数ｆ（但し、第２大当たりが未発生の時点では当日の営業開始時点から現在時点までの第２スタート回数）、
がそれぞれ数値表示されると共に、第１スタート回数に絞った状態の第１スタート履歴グラフｇ、第１大当たりについての連チャン回数ｈ、第２スタート回数に絞った状態の第２スタート履歴グラフｉ、第２大当たりについての連チャン回数ｊが表示される。
【００４８】
第１スタート履歴グラフｇは、第１スタート回数についての履歴を所定の表示色のデータセットから成る棒グラフにより表示したものであり、各データセットは、１目盛が１〜１００回に対応している。この場合、前回の第１大当たりの終了時点（若しくは営業開始時点）から現在時点までの間における第１スタート回数が、「現在」の文字に対応付けて表示されると共に、新たに第１大当たりが発生した時点までの各期間の第１スタート回数についての過去５回分の履歴が、「１回前」、「２回前」、「３回前」、「４回前」、「５回前」の文字に対応付けて表示される。但し、確変（或いは時短）を伴った第１大当たり及びこの確変（或いは時短）時に発生した第１大当たり（つまり、連チャン状態）は、これを１回とカウントしており、当該確変（或いは時短）を伴った第１大当たりが新たに発生するまでの期間の第１スタート回数について棒グラフ表示している。
【００４９】
連チャン回数ｈは、「現在」、「１回前」、「２回前」、「３回前」、「４回前」、「５回前」の文字に対応付けた状態で数値表示される。尚、連チャン回数ｈ＝「０」は第１大当たりが未発生であることを示し、連チャン回数ｈ＝「１」は第１大当たりが単独発生したものであることを示す。
第２スタート履歴グラフｉは、第２スタート回数についての履歴を前記第２スタート履歴グラフｇと異なる表示色のデータセットから成る棒グラフにより表示したものであり、各データセットは、１目盛が１〜１００回に対応している。この場合、前回の第２大当たりの終了時点（若しくは営業開始時点）から現在時点までの間における第２スタート回数が、「現在」の文字に対応付けて表示されると共に、新たに第２大当たりが発生した時点までの各期間の第２スタート回数についての過去５回分の履歴が、「１回前」、「２回前」、「３回前」、「４回前」、「５回前」の文字に対応付けて表示される。但し、確変（或いは時短）を伴った第２大当たり及びこの確変（或いは時短）時に発生した第２大当たり（つまり、連チャン状態）は、これを１回とカウントしており、当該確変（或いは時短）を伴った第２大当たりが新たに発生するまでの期間の第２スタート回数について棒グラフ表示している。
【００５０】
連チャン回数ｊは、「現在」、「１回前」、「２回前」、「３回前」、「４回前」、「５回前」の文字に対応付けた状態で数値表示される。尚、連チャン回数ｊ＝「０」は第２大当たりが未発生であることを示し、連チャン回数ｊ＝「１」は第２大当たりが単独発生したものであることを示す。
以上要するに、上記した実施例によれば、第１及び第２大当たりが発生可能なパチンコ遊技機１、特には、第１及び第２大当たりにある各期間中の払出パチンコ玉数の設定値（第１大当たり→１８００、第２大当たり→１２００）が互いに相違するパチンコ遊技機１に係る稼働データ（アウト玉数、セーフ玉数、差玉数、第１スタート回数、第２スタート回数など）を各遊技機１別に区分して集計管理するために設けられた管理コンピュータ１６は、パチンコ遊技機１において第１及び第２大当たりの何れかが発生したときに当該パチンコ遊技機１からの大当たり信号の出力期間を大当たり期間としてリアルタイムで検出する。
【００５１】
また、管理コンピュータ１６は、上記大当たり期間での差玉数を大当たり中差玉数として集計し、その大当たり中差玉数が、第１及び第２大当たりのそれぞれについて予め設定された上限しきい値（第１大当たり→２０００、第２大当たり→１４００）及び下限しきい値（第１大当たり→１６００、第２大当たり→１０００）の範囲に収まっているか否かに基づいて、第１及び第２大当たりの何れが発生しているかを判定する。
【００５２】
従って、管理コンピュータ１６においては、２種類の大当たりが発生可能で、尚且つ各大当たりの発生時に１種類の大当たり信号しか出力されない形態のパチンコ遊技機１が管理対象であった場合でも、集計した稼動データを、上記のような判定結果に基づいて第１及び第２大当たりに振り分けることが可能になるものであり、これにより、各大当たり毎に区分した状態の稼動データを集計できるようになる。具体的には、管理コンピュータ１６は、パチンコ遊技機１が第１及び第２大当たりにある各期間での払出パチンコ玉数を示す大当たり中セーフ玉数、当該期間での打込パチンコ玉数を示す大当たり中アウト玉数、当該期間での差玉数を示す大当たり中差玉数の各データを含む大当たり履歴データの集計動作を行い、その集計結果を図５に示すような複合データとして出力する。この結果、そのように出力される複合データに基づいて、パチンコ遊技機１に設定された第１及び第２大当たりについての各遊技特性を個別且つ容易に把握できるようになるから、その把握結果に基づいて、パチンコ遊技機１の釘調整作業などを的確に行うことが可能になる。
【００５３】
また、上記複合データ中には、第１及び第２大当たりに区分した状態で集計された大当たり中差玉数、大当たり中アウト玉数、大当たり中セーフ玉数の各データについて、各大当たりにある期間毎の平均値を示すデータが含まれるから、パチンコ遊技機１の遊技特性がどちらの大当たり状態の遊技特性に依存しているかを一目で把握可能になる。
また、本実施例によれば、所定日数分に渡って蓄積された複合データに基づいて作成した遊技客向けデータを呼出ランプユニット１３のデータ表示部１３ｂに表示することにより遊技客側に提供する機能が設けられているから、遊技客側においてもパチンコ遊技機１における各大当たりの傾向をある程度把握することが可能になり、以て、遊技に対する興趣の向上ひいては遊技客の来店率の向上を図る上で有益になる。
【００５４】
（第２の実施の形態）
上記第１実施例では、管理対象が複合パチンコ遊技機である場合について説明したが、従来から提供されている通常のパチンコ遊技機を管理対象とした場合でも、同様の効果を奏するものであり、以下においては、通常パチンコ遊技機を管理対象とした本発明の第２実施例について、前記第１実施例と異なる部分のみ説明する。
【００５５】
即ち、本実施例で対象とするパチンコ遊技機は、具体的に図示しないが、遊技機盤面に始動入賞口及び遊技時の入賞率を高めるための開閉動作を実行可能な羽根（電動役物に相当）を備え、始動入賞口へのパチンコ玉の入賞により羽根が短時間だけ開いて入賞領域へのパチンコ玉の入賞が可能となり、その入賞領域中にあるＶゾーンにパチンコ玉が入賞したときに大当たり状態が発生すると共に、大当たりラウンド数（例えば１５ラウンド、８ラウンド、１ラウンドの何れか）の抽選を行うように構成されたもの（所謂第２種パチンコ遊技機）である。
【００５６】
この場合、１ラウンド分の大当たりは、羽根が上限回数（例えば１８回）の開閉動作を行うか、入賞領域内に所定個数（例えば１０個）のパチンコ玉が入賞したとき、つまり、羽根が所定回数開閉動作されたときに消化されるものであり、ラウンド抽選により決まった大当たりラウンド数が消化されたときに大当たり状態が終了することになる。また、ラウンド終了する前にＶゾーンへパチンコ玉が入賞した場合のみ次のラウンドへ進むことができるものであり、そのような入賞がなかった場合には、大当たりが終了されるという所謂パンクが発生するものである（但し、ラウンド終了する前にＶゾーンへパチンコ玉が入賞したときに大当たり状態が終了する機種も存在する）。そして、上記のような大当たり状態にある期間には、パチンコ遊技機から大当たり信号が出力される構成（大当たり信号が１種類しか出力されない構成）となっている。
【００５７】
尚、本実施例の場合、大当たりラウンド数が１５ラウンドの大当たりが本発明でいう第１の大当たり状態に相当し、大当たりラウンド数が８ラウンド及び１ラウンドの大当たりが本発明でいう第２の大当たり状態に相当することになる。
本実施例では、管理コンピュータ１６（図１参照）が請求項７記載の発明でいう継続回数特定手段として機能するようになる。この場合、管理コンピュータ１６は、上記図示しないパチンコ遊技機から出力される大当たり信号の出力期間に集計した稼動データに基づいて大当たり履歴データを作成するものであるが、当該大当たり信号は１種類しか出力されないため、継続ラウンド数が異なる各大当たり状態のどれが発生したか区別できず、また、パンクが発生したときの継続ラウンド数も判定できない。そこで、管理コンピュータ１６は、上記大当たり信号並びにその大当たり信号により示される大当たり状態期間中の差玉数（大当たり中差玉数：大当たり中差引遊技媒体数データに相当）と、図７に示すようなテーブルに基づいて、大当たり状態にある期間中の継続ラウンド数を特定する構成となっている。尚、図７は、上記大当たり状態での継続ラウンド数と各ラウンド中における大当たり中差玉数（下限しきい値及び上限しきい値）との関係を示すテーブルである。
【００５８】
従って、このように構成された本実施例によれば、所謂第２種パチンコ遊技機が管理対象であった場合でも、大当たり状態が発生したときの電動役物（羽根）の開閉動作の継続ラウンド数を特定するようになるから、パチンコ遊技機についての稼動データの管理も、継続ラウンド数が異なる各大当たり状態について個別に行い得るようになる。また、パンクが発生したときの継続ラウンド数の判定も同時に行い得るようになる。
【００５９】
尚、上記のような継続ラウンド数の特定を行うために、大当たり状態期間中のセーフ玉数、つまり大当たり中セーフ玉数（大当たり中払出遊技媒体数データに相当）を利用する構成としても良い。
（その他の実施の形態）
その他、本発明は上記し且つ図面に示した実施例に限定されるものではなく、例えば以下に述べるような変形或いは拡大が可能である。
【００６０】
第１実施例の管理コンピュータ１６では、大当たり中差玉数（大当たり中差引遊技媒体数データに相当）が、第１及び第２大当たりのそれぞれについて予め設定された大当たり中差玉数用の上限しきい値及び下限しきい値の範囲に収まっているか否かに基づいて、各大当たりの何れが発生しているかを判定する構成としたが、そのような判定を大当たり中セーフ玉数（大当たり中払出遊技媒体数データに相当）並びに第１及び第２大当たりのそれぞれについて予め設定された大当たり中セーフ玉数用の上限しきい値及び下限しきい値に基づいて行う構成としても良い。
【００６１】
管理コンピュータ１６に対して、自身が集計した大当たり中差玉数或いは大当たり中セーフ玉数が、それぞれに対応した前記上限しきい値及び下限しきい値の範囲に収まっていない場合に異常検知信号を出力する機能を付加する構成としても良い。この構成によれば、集計された大当たり中差玉数或いは大当たり中セーフ玉数がそれぞれに対応した上限しきい値及び下限しきい値の範囲に収まっていない場合、つまり、所謂パンクや不正行為に伴う多量のパチンコ玉の放出動作などの異常状態が発生したと想定されるときには、管理コンピュータ１６から異常検知信号が出力されるから、そのような異常状態に対し迅速に対処可能になる。
【００６２】
第１実施例では、第１大当たりについての大当たり中差玉数用の上限しきい値及び下限しきい値を「２０００」及び「１６００」に設定し、第２大当たりについての大当たり中差玉数用の上限しきい値及び下限しきい値を「１４００」及び「１０００」に設定する例で説明したが、第１大当たりについての上限しきい値を無限大に設定し、第２大当たりについての下限しきい値を「０」に設定する構成としても、第１大当たり及び第２大当たりの何れが発生したかを判定可能である。但し、不正行為に伴う多量のパチンコ玉の放出動作などの異常状態に対処する必要がある場合には、各上限しきい値及び下限しきい値を実施例通りに設定することが望ましいものである。
【００６３】
第１実施例では、パチンコ遊技機１が第１及び第２大当たりの何れかを呈した状態にある大当たり期間の検出を当該パチンコ遊技機１から出力される大当たり信号に基づいて行う構成としたが、管理コンピュータ１６により集計される差玉数（差引遊技媒体数データに相当）或いはセーフ玉数（払出遊技媒体数データに相当）の単位時間当たりの増加量が予め設定されたしきい値以上あるか否かに基づいて上記大当たり期間の検出を行う構成としても良い。この構成によれば、第１及び第２大当たりに区分した状態での稼動データの集計動作のために大当たり信号が不要になるから、稼動データの集計動作を、管理対象のパチンコ遊技機１の仕様と無関係に行い得るようになり、システムとしての汎用性が高くなる。
【００６４】
第１実施例では、第１スタート入賞口６及び第２スタート入賞口７を個別に設ける構成としたが、これらを一つのスタート入賞口により兼用する構成としても良い。この場合には、例えば、兼用スタート入賞口へのパチンコ玉の入賞タイミングや予め決められた順番などにより第１図柄表示部１０及び第２図柄表示部１１の何れを動作開始させるか（第１抽選動作及び第２抽選動作のいずれを行うか）を選択する手段を設けたり、或いは兼用スタート入賞口へのパチンコ玉の入賞に応じて動作する補助役物により各図柄表示部１０及び１１の何れを動作開始させるか選択する手段を設ける構成などが考えられる。
【００６５】
各実施例において、管理コンピュータ１６に対して、大当たり履歴データを同一機種のパチンコ遊技機１について平均した平均大当たり履歴データを出力する機能を付加する構成としても良い。この構成によれば、同一機種のパチンコ遊技機１についての平均大当たり履歴データを、大当たり履歴データの分析時においてその分析の目安となる標準的なデータとして利用できるようになり、以てパチンコ遊技機１で発生した各大当たりについてのデータ分析の信頼性を高め得るようになる。
【００６６】
前記第１実施例では、第１及び第２の大当たり状態の例として第１種パチンコ遊技機に対応した大当たり状態（第１及び第２大当たり）を挙げたが、これに限られるものでない。例えば、第１種パチンコ遊技機に対応した大当たり状態を第１の大当たり状態、第２種パチンコ遊技機に対応した大当たり状態を第２の大当たり状態として適用する構成、第３種パチンコ遊技機（所謂権利物）に設定された大当たり状態を第１の大当たり状態或いは第２の大当たり状態として適用する構成、３種類以上の大当たり状態が発生可能な構成など、種々の組合せが考えられる。
【００６７】
例えば、第１種パチンコ遊技機に対応した大当たり状態を第１の大当たり状態、第２種パチンコ遊技機に対応した大当たり状態を第２の大当たり状態として適用したパチンコ遊技機の場合、上限しきい値及び下限しきい値の一方の設定をさらに細かく設定することにより、第２の大当たり状態の継続ラウンド数を特定できるようにしても良い。
本発明で管理対象とするパチンコ遊技機は、前記実施例で示した形式のものに限定される訳ではなく、例えば所謂封入式のパチンコ遊技機も管理対象とすることができる。その場合には、入賞に応じて付与される得点が、本発明でいうところの入賞に応じて払い出される遊技媒体数に該当することは勿論である。また、前記実施例における始動入賞口（第１及び第２スタート入賞口６及び７）は、パチンコ玉の入賞に応じて所定個数のパチンコ玉が払い出されるものに限らず、パチンコ玉の入賞によるパチンコ玉の払出を伴わない通過ゲート式のものも含む概念である。
【００６８】
本発明のシステムによる管理対象の遊技機をスロットマシンとすることも可能である。
【図面の簡単な説明】
【００６９】
【図１】本発明の第１実施例を示すシステム全体の概略的構成図
【図２】パチンコ遊技機の概略的な正面図
【図３】第１及び第２大当たりの発生状態並びに大当たり信号の出力パターン例を示すタイミングチャート
【図４】作用説明図
【図５】複合データの出力例を示す図
【図６】遊技客向けデータの表示例を示す図
【図７】本発明の第２実施例を示す大当たり状態での継続ラウンド数と各ラウンド中における大当たり中差玉数との関係図
【符号の説明】
【００７０】
１はパチンコ遊技機、６は第１スタート入賞口、７は第２スタート入賞口、８は第１大型入賞口、８ａは電動役物、９は第２大型入賞口、９ａは電動役物、１０は第１図柄表示部、１１は第２図柄表示部、１３は呼出ランプユニット、１３ｂはデータ表示部、１６は管理コンピュータ（検出手段、データ集計手段、判定手段）を示す。
【図１】
2005192990.tif 000003
【図２】
2005192990.tif 000004
【図３】
2005192990.tif 000005
【図４】
2005192990.tif 000006
【図５】
2005192990.tif 000007
【図６】
2005192990.tif 000008
【図７】
2005192990.tif 000009
【手続補正書】
【提出日】平成17年1月28日(2005.1.28)
【手続補正１】
【補正対象書類名】特許請求の範囲
【補正対象項目名】全文
【補正方法】変更
【補正の内容】
【特許請求の範囲】
【請求項１】
遊技媒体を使用した遊技により入賞が発生したときに所定個数の遊技媒体を払い出すように構成されその遊技時に入賞率を通常時より高めた第１の大当たり状態及び第２の大当たり状態が発生可能な遊技機であって、前記第１及び第２の大当たり状態にある各期間中の払出遊技媒体数が互いに相違するように設定された遊技機に係る稼動データを各遊技機別に区分して集計管理する遊技場用データ管理システムにおいて、
前記遊技機が前記第１及び第２の大当たり状態の何れかにある期間を大当たり期間として検出する検出手段と、
この検出手段により検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行うデータ集計手段と、
このデータ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、前記第１及び第２の大当たり状態の何れが発生しているかを判定する判定手段と
を備えたことを特徴とする遊技場用データ管理システム。
【請求項２】
遊技媒体を使用した遊技により入賞が発生したときに所定個数の遊技媒体を払い出すように構成されその遊技時に入賞率を通常時より高めた第１の大当たり状態及び第２の大当たり状態が発生可能な遊技機であって、前記第１及び第２の大当たり状態にある各期間中に入賞率を高めるため開閉動作を実行する電動役物の設定、或いは、前記各期間中の継続ラウンド数、前記各ラウンドでの前記各電動役物への入賞可能遊技媒体数、前記各電動役物への１入賞に対する払出遊技媒体数の少なくとも１つを設定することにより、前記第１及び第２の大当たり状態にある各期間中の払出遊技媒体数が互いに相違した状態となるように構成された遊技機に係る稼動データを各遊技機別に区分して集計管理する遊技場用データ管理システムにおいて、
前記遊技機が前記第１及び第２の大当たり状態の何れかにある期間を大当たり期間として検出する検出手段と、
この検出手段により検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行うデータ集計手段と、
このデータ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、前記第１及び第２の大当たり状態の何れが発生しているかを判定する判定手段と
を備えたことを特徴とする遊技場用データ管理システム。
【請求項３】
前記遊技機は、前記第１及び第２の大当たり状態の発生に応じて大当たり信号を出力するように構成され、
前記検出手段は、前記遊技機から出力される前記大当たり信号に基づいて前記大当たり期間を検出するように構成されていることを特徴とする請求項１または２記載の遊技場用データ管理システム。
【請求項４】
前記データ集計手段は、前記遊技機において払い出された遊技媒体数を示す払出遊技媒体数データ、並びに当該遊技機において払い出された遊技媒体数及び遊技に使用された遊技媒体数の差である差引遊技媒体数データの少なくとも一方の集計動作をリアルタイムで行うように構成され、
前記検出手段は、前記データ集計手段により集計される払出遊技媒体数データ或いは差引遊技媒体数データの単位時間当たりの増加量が予め設定されたしきい値以上あるか否かに基づいて前記大当たり期間を検出するように構成されていることを特徴とする請求項１または２記載の遊技場用データ管理システム。
【請求項５】
前記データ集計手段は、前記大当たり中払出遊技媒体数データ及び大当たり中差引遊技媒体数データの少なくとも一方について、前記判定手段が判定した各大当たり状態にある期間毎の平均値を演算する機能を備えていることを特徴とする請求項１ないし４の何れかに記載の遊技場用データ管理システム。
【請求項６】
前記判定手段は、前記データ集計手段により集計された大当たり中払出遊技媒体数データ或いは大当たり中差引遊技媒体数データが前記上限しきい値及び下限しきい値の範囲に収まっていない場合に異常検知信号を出力する機能を備えていることを特徴とする請求項１ないし５の何れかに記載の遊技場用データ管理システム。
【請求項７】
前記遊技機は複数の電動役物を備えたパチンコ遊技機であることを特徴とする請求項１ないし６の何れかに記載の遊技場用データ管理システム。
【請求項８】
前記遊技機は、遊技時の入賞率を高めるための開閉動作を実行可能な電動役物を備え、その電動役物の開閉動作の継続ラウンド数を異ならせることにより前記第１の大当たり状態及び第２の大当たり状態が発生するように構成され、
各大当たり状態にある期間中の大当たり中払出遊技媒体数データ或いは大当たり中差引遊技媒体数データに基づいて当該大当たり状態にある期間中の前記電動役物の開閉動作の継続ラウンド数を特定する継続回数特定手段を備えていることを特徴とする請求項１ないし６の何れかに記載の遊技場用データ管理システム。
【手続補正２】
【補正対象書類名】明細書
【補正対象項目名】０００７
【補正方法】変更
【補正の内容】
【０００７】
請求項１記載の発明は、上記目的を達成するために、遊技媒体を使用した遊技により入賞が発生したときに所定個数の遊技媒体を払い出すように構成されその遊技時に入賞率を通常時より高めた第１の大当たり状態及び第２の大当たり状態が発生可能な遊技機であって、前記第１及び第２の大当たり状態にある各期間中の払出遊技媒体数が互いに相違するように設定された遊技機に係る稼動データを各遊技機別に区分して集計管理する遊技場用データ管理システムにおいて、
前記遊技機が前記第１及び第２の大当たり状態の何れかにある期間を大当たり期間として検出する検出手段と、この検出手段により検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行うデータ集計手段と、このデータ集計手段により集計された払出遊技媒体数データ或いは差引遊技媒体数データが、各大当たり状態のそれぞれについて予め設定された上限しきい値及び下限しきい値の範囲に収まっているか否かに基づいて、前記第１及び第２の大当たり状態の何れが発生しているかを判定する判定手段とを備えた構成としたものである。
【手続補正３】
【補正対象書類名】明細書
【補正対象項目名】０００８
【補正方法】変更
【補正の内容】
【０００８】
請求項２記載の発明は、上記目的を達成するために、遊技媒体を使用した遊技により入賞が発生したときに所定個数の遊技媒体を払い出すように構成されその遊技時に入賞率を通常時より高めた第１の大当たり状態及び第２の大当たり状態が発生可能な遊技機であって、前記第１及び第２の大当たり状態にある各期間中に入賞率を高めるため開閉動作を実行する電動役物を設定すること、或いは、前記各期間中の継続ラウンド数、前記各ラウンドでの前記各電動役物への入賞可能遊技媒体数、前記各電動役物への１入賞に対する払出遊技媒体数の少なくとも１つを設定することにより、前記第１及び第２の大当たり状態にある各期間中の払出遊技媒体数が互いに相違した状態となるように構成された遊技機に係る稼動データを各遊技機別に区分して集計管理する遊技場用データ管理システムにおいて、
前記遊技機が前記第１及び第２の大当たり状態の何れかにある期間を大当たり期間として検出する検出手段と、
この検出手段により検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行うデータ集計手段と、
このデータ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、前記第１及び第２の大当たり状態の何れが発生しているかを判定する判定手段とを備えた構成としたものである。
請求項３記載の発明は、前記遊技機が、前記第１及び第２の大当たり状態の発生に応じて大当たり信号を出力するように構成されたものであった場合に、前記検出手段を、前記遊技機から出力される前記大当たり信号に基づいて前記大当たり期間を検出する構成としたものである。
【手続補正４】
【補正対象書類名】明細書
【補正対象項目名】０００９
【補正方法】変更
【補正の内容】
【０００９】
請求項４記載の発明は、前記データ集計手段を、前記遊技機において払い出された遊技媒体数を示す払出遊技媒体数データ、並びに当該遊技機において払い出された遊技媒体数及び遊技に使用された遊技媒体数の差である差引遊技媒体数データの少なくとも一方の集計動作をリアルタイムで行うように構成した上で、前記検出手段を、前記データ集計手段により集計される払出遊技媒体数データ或いは差引遊技媒体数データの単位時間当たりの増加量が予め設定されたしきい値以上あるか否かに基づいて前記大当たり期間を検出する構成としたものである。
【手続補正５】
【補正対象書類名】明細書
【補正対象項目名】００１０
【補正方法】変更
【補正の内容】
【００１０】
請求項５記載の発明は、前記データ集計手段に対して、前記大当たり中払出遊技媒体数データ及び大当たり中差引遊技媒体数データの少なくとも一方について、前記判定手段が判定した各大当たり状態にある期間毎の平均値を演算する機能を付加したものである。
【手続補正６】
【補正対象書類名】明細書
【補正対象項目名】００１１
【補正方法】変更
【補正の内容】
【００１１】
請求項６記載の発明は、前記判定手段に対して、前記データ集計手段により集計された大当たり中払出遊技媒体数データ或いは大当たり中差引遊技媒体数データが前記上限しきい値及び下限しきい値の範囲に収まっていない場合に異常検知信号を出力する機能を付加したものである。
【手続補正７】
【補正対象書類名】明細書
【補正対象項目名】００１２
【補正方法】変更
【補正の内容】
【００１２】
請求項７記載の発明のように、前記遊技機は複数の電動役物を備えたパチンコ遊技機であっても良い。
【手続補正８】
【補正対象書類名】明細書
【補正対象項目名】００１３
【補正方法】変更
【補正の内容】
【００１３】
請求項８記載の発明は、遊技時の入賞率を高めるための開閉動作を実行可能な電動役物を備え、その電動役物の開閉動作の継続ラウンド数を異ならせることにより前記第１の大当たり状態及び第２の大当たり状態が発生するように構成された遊技機を管理対象とする場合に、各大当たり状態にある期間中の払出遊技媒体数データ或いは大当たり中差引遊技媒体数データに基づいて当該大当たり状態にある期間中の前記電動役物の開閉動作の継続ラウンド数を特定する継続回数特定手段を備えた構成としたものである。
【手続補正９】
【補正対象書類名】明細書
【補正対象項目名】００１５
【補正方法】変更
【補正の内容】
【００１５】
この場合、管理対象となる遊技機は、第１及び第２の大当たり状態にある各期間中の払出遊技媒体数が互いに相違するように設定されており、従って、上記集計動作により得られる各データ（大当たり中払出遊技媒体数データ及び大当たり中差引遊技媒体数データの少なくとも一方のデータ）は、第１の大当たり状態にある期間に対応したデータと第２の大当たり状態にある期間に対応したデータとで自ずと異なるようになる。判定手段は、このようなデータの相違を利用することにより、第１及び第２の大当たり状態の何れが発生しているかを判定する。具体的には、判定手段は、データ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、第１及び第２の大当たり状態の何れが発生しているかを判定する。
【手続補正１０】
【補正対象書類名】明細書
【補正対象項目名】００１７
【補正方法】変更
【補正の内容】
【００１７】
請求項２記載の発明においても、遊技機において第１及び第２の大当たり状態の何れかが発生したときには、その発生期間が検出手段によって大当たり期間として検出される。また、データ集計手段は、上記のように検出された大当たり期間に払い出された遊技媒体数を示す大当たり中払出遊技媒体数データ、並びに当該大当たり期間での払出遊技媒体数及び使用遊技媒体数の差である大当たり中差引遊技媒体数データの少なくとも一方の集計動作を行うものであり、この集計動作により得られるデータは、第１及び第２の大当たり状態の何れの期間中のものであるか不明である。
この場合、管理対象となる遊技機は、前記第１及び第２の大当たり状態にある各期間中に入賞率を高めるため開閉動作を実行する電動役物を設定すること、或いは、前記各期間中の継続ラウンド数、前記各ラウンドでの前記各電動役物への入賞可能遊技媒体数、前記各電動役物への１入賞に対する払出遊技媒体数の少なくとも１つを設定することにより、第１及び第２の大当たり状態にある各期間中の払出遊技媒体数が互いに相違するように設定されており、判定手段は、このようなデータの相違を利用することにより、第１及び第２の大当たり状態の何れが発生しているかを判定する。具体的には、判定手段は、データ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、第１及び第２の大当たり状態の何れが発生しているかを判定する。
従って、データ集計手段による集計データを、上記判定手段による判定結果に基づいて第１及び第２の大当たり状態に振り分けることが可能になるものであり、これにより、各大当たり状態毎に区分した状態の稼動データを集計できるようになる。この結果、上記のように集計された各稼動データの関係に基づいて、各大当たり状態の遊技特性を個別に且つ容易に把握できるようになるから、その把握結果に基づいて、例えば遊技機の遊技特性の調整作業（パチンコ遊技機の場合における釘調整作業など）を的確に行うことが可能になる。
請求項３記載の発明によれば、検出手段による大当たり期間の検出動作を、遊技機から出力される大当たり信号に基づいてリアルタイムで行い得るようになる。
【手続補正１１】
【補正対象書類名】明細書
【補正対象項目名】００１８
【補正方法】変更
【補正の内容】
【００１８】
請求項４記載の発明によれば、検出手段による大当たり期間の検出動作が、データ集計手段による集計データに基づいて行われるから、第１及び第２の大当たり状態に区分した状態での稼動データの集計動作を管理対象の遊技機の仕様と無関係に行い得るようになり、システムとしての汎用性が高くなる。
【手続補正１２】
【補正対象書類名】明細書
【補正対象項目名】００１９
【補正方法】変更
【補正の内容】
【００１９】
請求項５記載の発明によれば、第１及び第２の大当たり状態に区分した状態で集計された大当たり中払出遊技媒体数データ及び大当たり中差引遊技媒体数データの少なくとも一方について、各大当たり状態にある期間毎の平均値が得られるから、遊技機の遊技特性がどちらの大当たり状態の遊技特性に依存しているかを一目で把握可能になる。
【手続補正１３】
【補正対象書類名】明細書
【補正対象項目名】００２０
【補正方法】変更
【補正の内容】
【００２０】
請求項６記載の発明によれば、データ集計手段により集計された大当たり中払出遊技媒体数データ或いは大当たり中差引遊技媒体数データが前記上限しきい値及び下限しきい値の範囲に収まっていない場合、つまり、所謂パンクや不正行為に伴う多量の遊技媒体の放出動作などの異常状態が発生したと想定されるときには、判定手段から異常検知信号が出力されるから、そのような異常状態に対し迅速に対処可能になる。
【手続補正１４】
【補正対象書類名】明細書
【補正対象項目名】００２１
【補正方法】変更
【補正の内容】
【００２１】
請求項７記載の発明によれば、管理対象が複合パチンコ遊技機であっても上述したような効果を得ることができる。
【手続補正１５】
【補正対象書類名】明細書
【補正対象項目名】００２２
【補正方法】変更
【補正の内容】
【００２２】
請求項８記載の発明によれば、遊技時の入賞率を高めるための開閉動作を実行可能な電動役物を備え、その電動役物の開閉動作の継続ラウンド数を異ならせることにより前記第１の大当たり状態及び第２の大当たり状態が発生するように構成されたパチンコ遊技機、つまり、所謂第２種パチンコ遊技機が管理対象であった場合に、継続回数特定手段が、各大当たり状態にある期間中の払出遊技媒体数データ或いは大当たり中差引遊技媒体数データに基づいて当該大当たり状態にある期間中の前記電動役物の開閉動作の継続ラウンド数を特定するようになる。従って、このようなパチンコ遊技機についての稼動データの管理も、各大当たり状態について個別に行い得るようになる。